(57)【要約】【課題】  より適切な走行経路を運転者に提示可能な経路情報提示システムを提供する。【解決手段】  嗜好検出装置（２）は、運転者の現在の走行目的を推定する。続いて、嗜好検出装置（２）は、目的別嗜好ＤＢ（１０ｇ）で記憶している運転者の嗜好のうちから、推定した走行目的に対応付けられている運転者の嗜好を抽出する。続いて、経路案内装置（１）は、現在地から目的地までの複数の走行経路の特徴を検出する。続いて、複数の走行経路のうちから、検出した特徴が、抽出した運転者の嗜好に合致する走行経路を選択する。続いて、経路案内装置（１）は、選択した走行経路を運転者に提示する。【選択図】図１
2015227785.tif 000002
【特許請求の範囲】
【請求項１】
走行経路に対する運転者の嗜好を走行目的と対応付けて記憶している嗜好記憶部と、
運転者の現在の走行目的を推定する走行目的推定部と、
前記嗜好記憶部で記憶している運転者の嗜好のうちから、前記走行目的推定部で推定した走行目的に対応付けられている運転者の嗜好を抽出する嗜好抽出部と、
現在地から目的地までの複数の走行経路の特徴を検出する走行経路特徴検出部と、
前記複数の走行経路のうちから、前記走行経路特徴検出部で検出した特徴が前記嗜好抽出部で抽出した運転者の嗜好に合致する走行経路を選択する走行経路選択部と、
前記走行経路選択部で選択した走行経路を運転者に提示する走行経路提示部と、を備えたことを特徴とする経路情報提示システム。
【請求項２】
車両の過去の走行履歴を取得する走行履歴取得部と、
前記走行履歴取得部で取得した走行履歴を用いて、運転者の過去の走行目的を推定する過去走行目的推定部と、
前記走行履歴取得部で取得した走行履歴を用いて、前記過去走行目的推定部で推定した走行目的毎に、車両が過去に走行した走行経路の特徴を集計する特徴集計部と、
前記特徴集計部で集計した走行経路の特徴を用いて、走行目的毎に、走行経路に対する運転者の嗜好を判定する嗜好判定部と、を備え、
前記嗜好記憶部は、前記嗜好判定部で判定した運転者の嗜好を走行目的と対応付けて記憶することを特徴とする請求項１に記載の経路情報提示システム。
【請求項３】
前記走行経路選択部で選択した走行経路上で現在発生している交通渋滞または将来発生する交通渋滞を回避するための複数の迂回路を生成する迂回路生成部と、
前記迂回路生成部で生成した複数の迂回路の特徴を検出する迂回路特徴検出部と、
前記複数の迂回路のうちから、前記迂回路特徴検出部で検出した特徴が前記嗜好抽出部で抽出した運転者の嗜好に合致する迂回路を選択する迂回路選択部と、
前記迂回路選択部で選択した迂回路を運転者に提示する迂回路提示部と、を備えたことを特徴とする請求項１または２に記載の経路情報提示システム。
【請求項４】
前記走行目的推定部は、前記目的地、前記運転者のスケジュール、カレンダー、及び車両の走行履歴の少なくとも１つを用いて、前記走行目的を推定することを特徴とする請求項１から３のいずれか１項に記載の経路情報提示システム。
【請求項５】
前記走行経路特徴検出部は、旅行時間が短い、走行距離が短い、走行速度が高い、有料道路料金が低い、信号機数が少ない、青時間が長い、道幅が広い、路面状況が良い、障害物がない、交通量が少ない、勾配が少ない、道路案内表示が多い、右左折数が少ない、分岐数が少ない、規制路がない、景観が良い、停止回数が少ない、沿線施設数が多い、携帯電波環境が良い、事故・事件発生件数が少ない、取締実施件数が多い、スクールゾーンがない、通行量が多い、及び防犯カメラがあるのうちの複数を前記走行経路の特徴として検出することを特徴とする請求項１から４のいずれか１項に記載の経路情報提示システム。
【発明の詳細な説明】
【技術分野】
【０００１】
本発明は、経路情報提示システムに関する。
【背景技術】
【０００２】
従来、経路情報提示システムの技術としては、例えば特許文献１に記載の技術がある。
特許文献１に記載の技術では、過去に走行した走行経路に基づき、運転者の嗜好に合致する経路探索アルゴリズムを選択する。続いて、選択した経路探索アルゴリズムを用いて、現在位置から目的地までの走行経路を生成（探索）する。続いて、生成した走行経路を提示する。これにより、運転者の嗜好に合致する走行経路を運転者に提示できる。
【先行技術文献】
【特許文献】
【０００３】
【特許文献１】特開２０１０−８２８４号公報
【発明の概要】
【発明が解決しようとする課題】
【０００４】
しかしながら、上記特許文献１に記載の技術では、例えば、通勤、業務、日常生活、レジャー等、走行目的毎に、走行経路に対する運転者の嗜好が異なる場合、運転者の嗜好に合致する経路探索アルゴリズムを選択することが難しかった。それゆえ、運転者の嗜好に合致する走行経路を提示することが困難となる可能性があった。
本発明は、上記のような点に着目し、より適切な走行経路を運転者に提示可能な経路情報提示システムを提供することを課題とする。
【課題を解決するための手段】
【０００５】
上記課題を解決するため、本発明の一態様では、運転者の現在の走行目的を推定する。続いて、嗜好記憶部で記憶している運転者の嗜好のうちから、推定した走行目的に対応付けられている運転者の嗜好を抽出する。続いて、現在地から目的地までの複数の走行経路の特徴を検出する。続いて、複数の走行経路のうちから、検出した特徴が、抽出した運転者の嗜好に合致する走行経路を選択する。続いて、選択した走行経路を運転者に提示する。
【発明の効果】
【０００６】
本発明の一態様では、例えば、運転者の走行目的毎に、走行経路に対する運転者の嗜好が異なる場合にも、運転者の嗜好に合致する特徴を有する走行経路を運転者に提示できる。これにより、より適切な走行経路を運転者に提示できる。
【図面の簡単な説明】
【０００７】
【図１】実施形態に係る経路情報提示システムの概略構成を表す概念図である。
【図２】嗜好情報を説明するための図である。
【図３】走行経路の特徴を説明するための図である。
【図４】経路情報提示処理を表すフローチャートである。
【図５】走行目的推定処理を表すフローチャートである。
【図６】走行経路検索処理を表すフローチャートである。
【発明を実施するための形態】
【０００８】
次に、本発明の実施形態について、図面を参照しつつ説明する。
本実施形態は、本発明を、経路情報提示システムに適用したものである。
（構成）
図１に示すように、経路情報提示システムは、車両Ｃが搭載する経路案内装置１と、データセンタＤが有する嗜好検出装置２とを備える。経路案内装置１と嗜好検出装置２とは、通信路を介して情報の送受信を行う。なお、本実施形態では、説明の簡単化のため、車両Ｃが１台、運転者が１人である場合を想定して説明する。
【０００９】
（経路案内装置１の構成）
経路案内装置１は、車両情報検出部３と、位置検出部４と、走行状態記憶部５と、目的地入力部６と、通信部７と、経路演算部８と、走行経路提示部９ａとを備える。
車両情報検出部３は、車両Ｃが備える各種のセンサ（不図示）で検出した、車両Ｃの運転状態及び車両挙動に関する情報（以下、「車両情報」とも呼ぶ）を取得する。車両情報としては、例えば、操舵角センサで検出したステアリングホイールの操舵角、アクセルペダルセンサで検出したアクセルペダルのストローク量、及びブレーキペダルセンサで検出したブレーキペダルのストローク量を表す情報がある。これに加え、車両情報としては、例えば、加速度センサで検出した車両Ｃの車両重心位置の加速度、重量センサで検出した車両重量、及び車両カメラで撮影した車両Ｃ周囲の画像を表す情報がある。そして、車両情報検出部３は、取得した車両情報を走行状態記憶部５に出力する。
【００１０】
位置検出部４は、車両Ｃが備える各種のセンサ（不図示）で検出した、車両Ｃの現在位置を算出する際に用いる情報（以下、「現在位置算出用情報」とも呼ぶ）を取得する。現在位置算出用情報としては、例えば、ＧＰＳ（Global Positioning System）受信機で受信したＧＰＳ信号、地磁気センサで検出した絶対方位、ジャイロセンサで検出した車両Ｃのヨーレート、及び車速センサで検出した車両Ｃの走行距離を表す情報がある。続いて、位置検出部４は、取得した現在位置算出用情報に基づき、車両Ｃの現在位置を検出する。そして、位置検出部４は、検出した車両Ｃの現在位置を表す情報（以下、「現在位置情報」とも呼ぶ）を走行状態記憶部５と経路演算部８とに出力する。
【００１１】
走行状態記憶部５は、車両情報検出部３から車両情報を取得し、位置検出部４から現在位置情報を取得する。そして、走行状態記憶部５は、取得した車両情報と現在位置情報とを関連付けて記憶する。
目的地入力部６は、車両Ｃの運転者からの目的地の入力を受け付ける。そして、目的地入力部６は、目的地の入力を受けると、目的地を表す情報（以下、「目的地情報」とも呼ぶ。例えば、緯度・経度）を通信部７と経路演算部８とに出力する。
【００１２】
通信部７は、走行状態記憶部５で記憶している車両情報と現在位置情報とを取得し、目的地入力部６から目的地情報を取得する。そして、通信部７は、取得した各種の情報を含む情報（以下、「車両側情報」とも呼ぶ）を嗜好検出装置２に送信する。なお、車両側情報の送信は、予め定めた設定時間（例えば、１秒）が経過するたびに行う。
また、通信部７は、嗜好検出装置２から、走行経路に対する運転者の嗜好を表す情報（以下、「嗜好情報」とも呼ぶ）と、車両Ｃの運転者の現在の走行目的と、交通渋滞を回避するための迂回路を表す情報（以下、「迂回路情報」とも呼ぶ）とを受信する。嗜好情報は、例えば、図２に示すように、走行目的毎に、走行経路に対する運転者の嗜好に関する項目（以下、「嗜好項目」とも呼ぶ）それぞれの考慮度合いで表す。嗜好項目としては、例えば、時間（旅行時間、走行速度）、料金、安全性（危険個所）、運転負荷・走りやすさ（右左折回数）、走行速度・スムーズさ（停止回数、停止時間）、わかりやすさ（路側案内）、景観（観光情報、ＳＮＳ）、施設、及び社会貢献がある。また、嗜好項目の考慮度合いとしては、◎、○、及び△の三段階がある。そして、通信部７は、受信した嗜好情報と車両Ｃの運転者の現在の走行目的と迂回路情報とを経路演算部８に出力する。
【００１３】
経路演算部８は、走行経路生成部８ａと、走行経路特徴検出部８ｂと、走行経路選択部８ｃとを備える。
走行経路生成部８ａは、位置検出部４から現在位置情報を取得し、目的地入力部６から目的地情報を取得する。そして、走行経路生成部８ａは、取得した現在位置情報と目的地情報とを用いて、現在位置から目的地までの複数の走行経路を生成する。
【００１４】
走行経路特徴検出部８ｂは、走行経路生成部８ａで生成した複数の走行経路の特徴を検出する。走行経路の特徴としては、例えば、図３に示すように、走行経路の選択時に考慮する有利な特徴、及び不利な特徴がある。有利な特徴としては、例えば、早い（旅行時間が短い、走行距離が短い、及び走行速度が高い）、安い（有料道路料金が低い）、及び走りやすい（信号機数が少ない、青時間が長い、道幅が広い、路面状況が良い、障害物がない、交通量が少ない、勾配が少ない）、がある。これに加え、有利な特徴としては、例えば、わかりやすい（道路案内表示が多い、右左折数が少ない、分岐数が少ない、規制路がない）、気持ちいい（景観が良い、停止回数が少ない）、利便性がいい（沿線施設数が多い、及び携帯電話機の電波環境が良い）、及び安全・安心（事故・事件発生件数が少ない、取締実施件数が多い、スクールゾーンがない、通行量が多い、防犯カメラがある）がある。
【００１５】
不利な特徴としては、例えば、狭い(すれ違いが困難)、天候（霧・雨、風）、交通環境（右折が多い、カーブが多い、勾配が多い、歩行者が多い、路面が荒れている）、高い（トータルコストが高い）、時間がかかる（混雑している、所要時間が安定しない、途中でのルート変更ができない）、わかりにくい（間違えやすい）がある。
このように、本実施形態では、旅行時間が短い、走行距離が短い、走行速度が高い、有料道路料金が低い、信号機数が少ない、青時間が長い、道幅が広い、路面状況が良い、障害物がない、交通量が少ない、勾配が少ない、道路案内表示が多い、右左折数が少ない、分岐数が少ない、規制路がない、景観が良い、停止回数が少ない、沿線施設数が多い、携帯電波環境が良い、事故・事件発生件数が少ない、取締実施件数が少ない、スクールゾーンがない、通行量が多い、及び防犯カメラがあるのうちの複数を走行経路の特徴として検出する。それゆえ、走行経路の特徴を細分化できる。これにより、運転者の嗜好により合致した特徴を有する走行経路を運転者に提示できる。
【００１６】
走行経路選択部８ｃは、通信部７から嗜好情報と車両Ｃの運転者の現在の走行目的とを取得する。そして、走行経路選択部８ｃは、走行経路生成部８ａで生成した複数の走行経路のうちから、取得した嗜好情報が表す運転者の嗜好（車両Ｃの運転者の現在の走行目的に対応付けられている運転者の嗜好）に走行経路特徴検出部８ｂで検出した特徴が合致する走行経路を選択する。具体的には、走行経路選択部８ｃは、運転者の嗜好との一致度合いが予め定めた割合（例えば、５０％）以上である走行経路を選択する。或いは、走行経路選択部８ｃは、他の走行経路と比較して運転者の嗜好との一致度合いが最も高い走行経路を選択する。そして、走行経路選択部８ｃは、選択結果を経路誘導部９に出力する。
【００１７】
また、走行経路選択部８ｃは、通信部７から迂回路情報を取得する。そして、走行経路選択部８ｃは、取得した迂回路情報を経路誘導部９に出力する。
経路誘導部９は、走行経路提示部９ａと、迂回路提示部９ｂとを備える。
走行経路提示部９ａは、走行経路選択部８ｃで選択した走行経路を地図に重畳させた画像を生成する。そして、走行経路提示部９ａは、生成した画像を運転者に提示する。
また、迂回路提示部９ｂは、走行経路選択部８ｃから迂回路情報を取得する。続いて、迂回路提示部９ｂは、取得した迂回路情報が表す迂回路を地図に重畳させた画像を生成する。そして、迂回路提示部９ｂは、生成した画像を運転者に提示する。
嗜好検出装置２は、走行目的別嗜好抽出部１０と、嗜好抽出部１１と、迂回路算出部１２とを備える。
【００１８】
走行目的別嗜好抽出部１０は、地点ＤＢ（Data Base）１０ａと、走行履歴ＤＢ１０ｂと、走行目的推定部１０ｃと、道路ＤＢ１０ｄと、危険個所ＤＢ１０ｅと、目的別嗜好判定部１０ｆと、目的別嗜好ＤＢ１０ｇとを備える。
地点ＤＢ１０ａは、目的地の候補地点（以下、「目的地候補地点」とも呼ぶ）の位置（緯度・経度）と、走行目的とを対応付けて記憶している。目的地候補地点としては、例えば、事業所、商店、病院、駅、ホテル、及び行楽地がある。走行目的としては、例えば、通勤、業務、日常生活、及びレジャーがある。具体的には、地点ＤＢ１０ａは、目的地候補地点「事業所」と走行目的「通勤交通」とを対応付けて記憶し、目的地候補地点「商店」「病院」「駅」と走行目的「日常生活交通」とを対応付けて記憶し、目的地候補地点「行楽地」と走行目的「レジャー交通」とを対応付けて記憶している。
【００１９】
走行履歴ＤＢ１０ｂは、通信部７から受信した車両側情報を用いて、車両Ｃの過去の走行履歴の情報（以下、「走行履歴情報」とも呼ぶ）を記憶する。走行履歴情報としては、例えば、車両Ｃが過去に走行した地点と、この地点における過去の車両情報及び目的地情報とを関連付けた履歴の情報がある。走行履歴情報には、車両Ｃの走行日毎に、引数が割り付けられている。引数は、最新の走行履歴情報から順番に割り付けられる。例えば、車両Ｃが１日前に走行した場合には、１日前の走行履歴情報に引数「１」が割り付けられる。また、例えば、車両Ｃが３日前に走行し、１日前と２日前とに走行していない場合には、３日前の走行履歴情報に引数「１」が割り付けられる。
【００２０】
走行目的推定部１０ｃは、現在走行目的推定部１０ｃａと、走行履歴取得部１０ｃｂと、過去走行目的推定部１０ｃｃとを備える。
現在走行目的推定部１０ｃａは、車両Ｃから受信した車両側情報を用いて、車両Ｃの運転者の現在の走行目的（車両Ｃの運転者の現在の走行目的）を推定する。具体的には、現在走行目的推定部１０ｃａは、地点ＤＢ１０ａから、車両Ｃから受信した車両側情報が表す目的地の位置（緯度・経度）と同じ位置（緯度・経度）の目的地候補地点を抽出する。続いて、現在走行目的推定部１０ｃａは、抽出した目的地候補地点に対応付けられている走行目的を車両Ｃの運転者の現在の走行目的とする。そして、現在走行目的推定部１０ｃａは、推定結果を目的別嗜好判定部１０ｆと嗜好抽出部１１とに出力する。
【００２１】
走行履歴取得部１０ｃｂは、走行履歴ＤＢ１０ｂから走行履歴情報を取得する。
過去走行目的推定部１０ｃｃは、走行履歴ＤＢ１０ｂで記憶している走行履歴情報を取得する。続いて、走行目的推定部１０ｃは、取得した走行履歴情報を用いて、車両Ｃの運転者の過去の走行目的を推定する。具体的には、過去走行目的推定部１０ｃｃは、地点ＤＢ１０ａから、走行履歴ＤＢ１０ｂから取得した走行履歴情報が表す終着地点の位置（緯度・経度）と同じ位置（緯度・経度）の目的地候補地点を抽出する。続いて、過去走行目的推定部１０ｃｃは、抽出した目的地候補地点に対応付けられている走行目的を車両Ｃの運転者の過去の走行目的とする。そして、過去走行目的推定部１０ｃｃは、推定結果を目的別嗜好判定部１０ｆと嗜好抽出部１１とに出力する。
【００２２】
道路ＤＢ１０ｄは、車両Ｃが走行する可能性のある道路の情報（以下、「道路情報」とも呼ぶ）を記憶している。道路情報としては、例えば、道路（例えば、リンク）の車線幅、交差点数、カーブの有無、起伏等の道路形状の情報がある。
危険個所ＤＢ１０ｅは、車両Ｃの走行時に危険を伴なう地点の情報（以下、「危険地点情報」とも呼ぶ）を記憶している。危険地点情報としては、例えば、過去に事故が発生した地点、工事中で道幅が狭くなっている地点の情報がある。
【００２３】
目的別嗜好判定部１０ｆは、特徴集計部１０ｆａと、嗜好判定部１０ｆｂとを備える。
特徴集計部１０ｆａは、走行履歴取得部１０ｃｂで取得した走行履歴情報と、過去走行目的推定部１０ｃｃで推定した車両Ｃの運転者の過去の走行目的と、道路ＤＢ１０ｄで記憶している道路情報と、危険個所ＤＢ１０ｅで記憶している危険地点情報とを取得する。そして、特徴集計部１０ｆａは、取得した各種情報を用いて、過去走行目的推定部１０ｃｃで推定した走行目的毎に、車両Ｃが過去に走行した走行経路の特徴を集計する。
【００２４】
嗜好判定部１０ｆｂは、特徴集計部１０ｆａで集計した走行経路の特徴を用いて、走行目的毎に、走行経路に対する運転者の嗜好（嗜好情報）を判定する。具体的には、嗜好判定部１０ｆｂは、集計結果の数値（後述する特徴集計用変数）が大きい特徴ほど、その特徴に関連する運転者の嗜好項目（例えば、時間、料金、安全性、運転負荷・走りやすさ等）に対する運転者の嗜好度合いが高い（例えば、◎、○）と判定する。そして、目的別嗜好判定部１０ｆは、抽出した嗜好（嗜好情報）を目的別嗜好ＤＢ１０ｇに出力する。
【００２５】
目的別嗜好ＤＢ１０ｇは、目的別嗜好判定部１０ｆから取得した嗜好情報を用いて、図２に示すように、走行目的毎に、走行経路に対する運転者の嗜好（嗜好情報）を記憶する。これにより、目的別嗜好ＤＢ１０ｇは、走行経路に対する運転者の嗜好（嗜好情報）を走行目的と対応付けて記憶している。なお、図２では、車両Ｃの運転者は、走行目的が「通勤」である場合に、特徴「時間」と「走行速度」との考慮度合いが高く、特徴「時間」と「走行速度」とを優先した走行経路を好む傾向（嗜好）があることがわかる。
【００２６】
嗜好抽出部１１は、目的別嗜好ＤＢ１０ｇで記憶している運転者の嗜好（嗜好情報）のうちから、ステップＳ１００で推定した現在の走行目的に対応付けられている運転者の嗜好（嗜好情報）を抽出する。そして、嗜好抽出部１１は、抽出した嗜好情報と現在の走行目的とを迂回路算出部１２と経路案内装置１とに送信する。
迂回路算出部１２は、交通渋滞判断部１２ａと、迂回対象エリア特定部１２ｂと、迂回路生成部１２ｃと、迂回路特徴検出部１２ｄと、迂回路選択部１２ｅとを備える。
【００２７】
交通渋滞判断部１２ａは、車両感知器（不図示）から交通量の情報（以下、「交通量情報」とも呼ぶ）を受信し、ＶＩＣＳ（登録商標）（Vehicle Information and Communication System）局やＦＭ局（不図示）から交通情報を受信する。続いて、交通渋滞判断部１２ａは、交通量情報と交通情報とを用いて、車両Ｃの走行経路上（走行経路選択部８ｃで選択した走行経路上）で現在または将来交通渋滞が発生するか否かを判定する。続いて、交通渋滞判断部１２ａは、車両Ｃの走行経路上で現在または将来交通渋滞が発生すると判定した場合には、交通渋滞が発生する地点（以下、「渋滞発生地点」とも呼ぶ）を予測する。そして、交通渋滞判断部１２ａは、判定結果を迂回対象エリア特定部１２ｂに出力する。
【００２８】
迂回対象エリア特定部１２ｂは、交通渋滞判断部１２ａから取得した渋滞発生地点を用いて、車両Ｃの走行経路上で現在発生している交通渋滞または将来発生する交通渋滞を回避するための迂回を行うエリア（以下、「迂回対象エリア」とも呼ぶ）を特定する。そして、迂回対象エリア特定部１２ｂは、特定結果を迂回路生成部１２ｃに出力する。
迂回路生成部１２ｃは、迂回対象エリア特定部１２ｂから取得した迂回対象エリアを用いて、車両Ｃの走行経路上（走行経路選択部８ｃで選択した走行経路上）で現在発生している交通渋滞または将来発生する交通渋滞を回避するための複数の迂回路を生成する。そして、迂回路生成部１２ｃは、生成結果を迂回路特徴検出部１２ｄに出力する。
【００２９】
迂回路特徴検出部１２ｄは、迂回路生成部１２ｃから取得した迂回路と、道路ＤＢで記憶している道路情報とを用いて、迂回路生成部１２ｃで生成した複数の迂回路の特徴を検出する。迂回路の特徴としては、走行経路の特徴と同じものを用いる。そして、迂回路特徴検出部１２ｄは、検出結果を迂回路選択部１２ｅに出力する。
迂回路選択部１２ｅは、迂回路特徴検出部１２ｄから取得した迂回路の特徴を用いて、迂回路生成部１２ｃで生成した複数の迂回路のうちから、迂回路特徴検出部１２ｄで検出した特徴が嗜好抽出部１１から取得した運転者の嗜好に合致する迂回路を選択する。具体的には、迂回路選択部１２ｅは、走行経路選択部８ｃと同様に、運転者の嗜好との一致度合いが予め定めた割合（例えば、５０％）以上である迂回路を選択する。或いは、迂回路選択部１２ｅは、他の迂回路と比較して運転者の嗜好との一致度合いが最も高い迂回路を選択する。そして、迂回路選択部１２ｅは、選択結果を車両Ｃに送信する。
【００３０】
（演算処理）
次に、本実施形態の経路情報提示システム（嗜好抽出部１１、嗜好検出装置２）が実行する演算処理（以下、「経路情報提示処理」とも呼ぶ）について説明する。経路情報提示処理は、予め定めた設定時間（例えば、１０[ms]）毎に繰り返し実行される。
図４に示すように、ステップＳ１００では、嗜好検出装置２（現在走行目的推定部１０ｃａ）は、車両Ｃの運転者の現在の走行目的を推定する走行目的推定処理を実行する。走行目的推定処理の詳細については後述する。
【００３１】
続いてステップＳ２００に移行して、経路案内装置１（走行経路生成部８ａ、走行経路特徴検出部８ｂ、走行経路選択部８ｃ）と嗜好検出装置２（嗜好抽出部１１）とは、走行経路検索処理を実行する。走行経路検索処理では、嗜好検出装置２（嗜好抽出部１１）は、目的別嗜好ＤＢ１０ｇで記憶している運転者の嗜好（嗜好情報）のうちから、ステップＳ１００で推定した現在の走行目的に対応付けられている運転者の嗜好（嗜好情報）を抽出する。続いて、経路案内装置１（走行経路生成部８ａ）は、現在地から目的地までの複数の走行経路を生成する。続いて、経路案内装置１（走行経路特徴検出部８ｂ）は、生成した複数の走行経路の特徴を検出する。続いて、嗜好検出装置２（走行経路選択部８ｃ）は、生成した複数の走行経路のうちから、検出した特徴が、抽出した運転者の嗜好（嗜好情報）に合致する走行経路を選択する。走行経路検索処理の詳細については後述する。
【００３２】
続いてステップＳ３００に移行して、嗜好検出装置２（交通渋滞判断部１２ａ）は、ステップＳ２００で選択した走行経路上で現在または将来交通渋滞が発生するか否かを判定する。そして、嗜好検出装置２（交通渋滞判断部１２ａ）は、走行経路上で交通渋滞が発生すると判定した場合には（Ｙｅｓ）、ステップＳ５００に移行する。一方、嗜好検出装置２（交通渋滞判断部１２ａ）は、走行経路上で交通渋滞が発生しないと判定した場合には（Ｎｏ）、ステップＳ４００に移行する。
【００３３】
続いてステップＳ４００では、経路案内装置１（走行経路提示部９ａ）は、ステップＳ２００で選択した走行経路を地図に重畳させた画像を生成する。続いて、経路案内装置１（走行経路提示部９ａ）は、生成した画像を運転者に提示した後、ステップＳ８００に移行する。なお、後述する経路案内フラグが「０」のリセット状態である場合には、経路案内装置１（走行経路提示部９ａ）による走行経路の提示を行わず、交通渋滞が発生した場合の迂回路の提示に備え、生成した走行経路を想定走行経路として蓄積する。
【００３４】
一方、ステップＳ５００では、嗜好検出装置２（迂回路生成部１２ｃ）は、車両Ｃの相応経路上（ステップＳ２００で選択した走行経路上）で現在発生している交通渋滞または将来発生する交通渋滞を回避するための複数の迂回路を生成する。続いて、嗜好検出装置２（迂回路特徴検出部１２ｄ）は、生成した複数の迂回路の特徴を検出する。
続いてステップＳ６００に移行して、嗜好検出装置２（迂回路選択部１２ｅ）は、ステップＳ５００で生成した複数の迂回路のうちから、ステップＳ４００で検出した特徴がステップＳ２００で抽出した運転者の嗜好に合致する特徴を有する迂回路を選択する。
【００３５】
続いてステップＳ７００に移行して、経路案内装置１（迂回路提示部９ｂ）は、ステップＳ６００で選択した迂回路を運転者に提示した後、ステップＳ８００に移行する。なお、経路案内フラグが「０」のリセット状態である場合には、経路案内フラグを「１」のセット状態とし、ステップＳ６００で選択した迂回路を提示する。これにより、運転者が目的地入力部６から目的地を入力せず、走行経路の提示がされていない場合であっても、想定走行経路上に交通渋滞が発生した場合には、迂回路を運転者に提示することができる。
【００３６】
ステップＳ８００では、経路案内装置１（経路演算部８）は、位置検出部４から取得した車両Ｃの現在位置と、目的地入力部６から取得した目的地とを用いて、車両Ｃが目的地に到着したか否かを判定する。そして、経路案内装置１（経路演算部８）は、車両Ｃが目的地に到着したと判定した場合には（Ｙｅｓ）、この演算処理を終了する。一方、経路案内装置１（経路演算部８）は、車両Ｃが目的地に到着していないと判定した場合には（Ｎｏ）、ステップＳ３００に戻る。
【００３７】
次に、嗜好検出装置２が実行する走行目的推定処理について説明する。
図５に示すように、ステップＳ１０１では、嗜好検出装置２（現在走行目的推定部１０ｃａ）は、目的地入力部６から目的地が入力されたか否かを判定する。具体的には、嗜好検出装置２（現在走行目的推定部１０ｃａ）は、車両Ｃから目的地情報を受信したか否かを判定する。そして、嗜好検出装置２（現在走行目的推定部１０ｃａ）は、車両Ｃから目的地情報を受信したと判定した場合には（Ｙｅｓ）、目的地が入力されたと判定し、ステップＳ１０２に移行する。一方、嗜好検出装置２（現在走行目的推定部１０ｃａ）は、車両Ｃから目的地情報を受信していないと判定した場合には（Ｎｏ）、目的地が入力されていないと判定し、ステップＳ１０４に移行する。
【００３８】
ステップＳ１０２では、嗜好検出装置２（現在走行目的推定部１０ｃａ）は、経路案内フラグを「１」のセット状態とする。
ステップＳ１０３に移行して、嗜好検出装置２（現在走行目的推定部１０ｃａ）は、地点ＤＢ１０ａから、目的地入力部６が受け付けた目的地の位置（緯度・経度）、つまり、車両Ｃから受信した車両側情報が表す目的地の位置（緯度・経度）と同じ位置（緯度・経度）の目的地候補地点を抽出する。続いて、嗜好検出装置２（現在走行目的推定部１０ｃａ）は、抽出した目的地候補地点に対応付けられている走行目的を車両Ｃの運転者の現在の走行目的とした後、この演算処理を終了する。なお、嗜好検出装置２（現在走行目的推定部１０ｃａ）は、地点ＤＢ１０ａで記憶している目的地候補地点のうちに、目的地の位置（緯度・経度）と同じ位置（緯度・経度）の目的地候補地点が存在しない場合には、目的地の位置に最も近い目的候補地点を抽出する。
【００３９】
一方、ステップＳ１０４に移行して、嗜好検出装置２（現在走行目的推定部１０ｃａ）は、経路案内フラグを「０」のリセット状態とする。
続いてステップＳ１０５に移行して、嗜好検出装置２（現在走行目的推定部１０ｃａ）は、車両Ｃが現在走行している道路（リンク）を過去に走行したことがあるか否かを判定する。具体的には、嗜好検出装置２（現在走行目的推定部１０ｃａ）は、走行履歴ＤＢ１０ｂで記憶している走行履歴情報のうちに、車両Ｃが現在走行している道路（リンク）の走行履歴情報があるか否かを判定する。そして、嗜好検出装置２（現在走行目的推定部１０ｃａ）は、車両Ｃが現在走行している道路（リンク）の走行履歴情報があると判定した場合には（Ｙｅｓ）、車両Ｃが現在走行している道路（リンク）を過去に走行したことがあると判定し、ステップＳ１０６に移行する。一方、嗜好検出装置２（現在走行目的推定部１０ｃａ）は、車両Ｃが現在走行している道路（リンク）の走行履歴情報がないと判定した場合には（Ｎｏ）、車両Ｃが現在走行している道路（リンク）を過去に走行したことがないと判定し、ステップＳ１０７に移行する。
【００４０】
ステップＳ１０６では、嗜好検出装置２（現在走行目的推定部１０ｃａ）は、走行履歴ＤＢ１０ｂから、ステップＳ１０５で存在すると判定された走行履歴情報、つまり、車両Ｃが現在走行している道路（リンク）の走行履歴情報を抽出する。続いて、嗜好検出装置２（現在走行目的推定部１０ｃａ）は、抽出した走行履歴情報が表す走行目的を車両Ｃの運転者の現在の走行目的とした後、この演算処理を終了する。
【００４１】
一方、ステップＳ１０７では、嗜好検出装置２（現在走行目的推定部１０ｃａ）は、インターネット上のクラウドサーバ（不図示）から、インターネットを介して運転者のスケジュールやカレンダーを抽出する。クラウドサーバには、運転者のスケジュールやカレンダーが記憶されているものとする。続いて、嗜好検出装置２（現在走行目的推定部１０ｃａ）は、抽出した運転者のスケジュールやカレンダーを用いて、車両Ｃの運転者の現在の走行目的を推定した後、この演算処理を終了する。
【００４２】
具体的には、嗜好検出装置２（現在走行目的推定部１０ｃａ）は、運転者のスケジュールの内容から目的地を推定する。例えば、スケジュールの内容に施設名が記載されている場合には、その施設を目的地として推定する。また、嗜好検出装置２（現在走行目的推定部１０ｃａ）は、カレンダーの曜日から目的地を推定する。例えば、曜日が平日である場合には、予め入力された運転者の勤務先を目的地として推定する。続いて、嗜好検出装置２（現在走行目的推定部１０ｃａ）は、推定された目的地の位置（緯度・経度）と同じ位置（緯度・経度）の目的地候補地点を地点ＤＢ１０ａから抽出する。続いて、嗜好検出装置２（現在走行目的推定部１０ｃａ）は、抽出した目的地候補地点に対応付けられている走行目的を車両Ｃの運転者の現在の走行目的とする。
【００４３】
また、本実施形態では、目的地、運転者のスケジュール、カレンダー、及び車両Ｃの走行履歴の少なくとも１つを用いて、車両Ｃの運転者の現在の走行目的を推定する。それゆえ、本実施形態では、車両Ｃの運転者の現在の走行目的の推定精度を向上できる。これにより、運転者の嗜好により合致した特徴を有する走行経路を運転者に提示できる。
なお、運転者の現在の走行目的の推定では、推定精度の向上のために、車両情報検出部３で検出した車両重量から推定される乗員数や積載貨物重量等も用いてもよい。
【００４４】
また、ステップＳ１０３、Ｓ１０６で推定した走行目的を車両Ｃの運転者に画像や音声で提示し、推定した走行目的を運転者に確認させる構成としてもよい。この場合、提示した走行目的が間違っていた場合には、運転者の操作に応じて推定結果（走行目的）を修正可能な構成とする。また、修正内容を地点ＤＢ１０ａや走行履歴ＤＢ１０ｂにフィードバックし、地点ＤＢ１０ａや走行履歴ＤＢ１０ｂの走行目的を修正可能な構成とする。これにより、次回からの、車両Ｃの運転者の現在の走行目的の推定精度を向上できる。
【００４５】
次に、嗜好検出装置２が実行する走行経路検索処理について説明する。
図６に示すように、ステップＳ２０１では、嗜好検出装置２（走行履歴取得部１０ｃｂ）は、引数Ｎを初期化して「１」とする。
続いてステップＳ２０２に移行して、嗜好検出装置２（走行履歴取得部１０ｃｂ）は、走行履歴ＤＢ１０ｂから、ステップＳ２０１で設定した引数Ｎ番目の走行履歴情報（ステップＳ２０７で引数Ｎを更新した場合には、更新後の引数Ｎ番目の走行履歴情報）を取得する。
【００４６】
続いてステップＳ２０３に移行して、嗜好検出装置２（過去走行目的推定部１０ｃｃ）は、走行履歴ＤＢ１０ｂに引数Ｎ番目の走行履歴情報が存在するか否かを判定する。具体的には、嗜好検出装置２（過去走行目的推定部１０ｃｃ）は、ステップＳ２０２（走行履歴取得部１０ｃｂ）で引数Ｎ番目の走行情報を取得できたか否かを判定する。そして、嗜好検出装置２（過去走行目的推定部１０ｃｃ）は、ステップＳ２０２で引数Ｎ番目の走行情報を取得できたと判定した場合には（Ｙｅｓ）走行履歴ＤＢ１０ｂに引数Ｎ番目の走行履歴情報が存在すると判定し、ステップＳ２０４に移行する。
【００４７】
一方、嗜好検出装置２（過去走行目的推定部１０ｃｃ）は、ステップＳ２０２で引数Ｎ番目の走行履歴情報を取得できなかったと判定した場合には（Ｎｏ）、走行履歴ＤＢ１０ｂに引数Ｎ番目の走行履歴情報が存在しないと判定し、ステップＳ２０８に移行する。
ステップＳ２０４では、嗜好検出装置２（過去走行目的推定部１０ｃｃ）は、ステップＳ２０２で抽出した走行履歴が表す終着地点を用いて、車両Ｃの運転者の過去の走行目的を推定する。具体的には、嗜好検出装置２（過去走行目的推定部１０ｃｃ）は、地点ＤＢ１０ａから、走行履歴が表す終着地点の位置（緯度・経度）と同じ位置（緯度・経度）の目的地候補地点を抽出する。続いて、嗜好検出装置２（過去走行目的推定部１０ｃｃ）は、抽出した目的地候補地点に対応付けられている走行目的を車両Ｃの運転者の過去の走行目的とする（車両Ｃの運転者の過去の走行目的を推定する）。
【００４８】
続いてステップＳ２０５に移行して、嗜好検出装置２（特徴集計部１０ｆａ）は、ステップＳ２０２で取得した走行履歴と、ステップＳ２０４で推定した車両Ｃの運転者の過去の走行目的と、道路ＤＢ１３で記憶している道路情報と、危険個所ＤＢ１４で記憶している危険地点情報とを用いて、ステップＳ２０４で推定した走行目的毎に、車両Ｃが過去に走行した走行経路の特徴（有利な特徴）を抽出する。なお、走行経路の特徴の抽出では、例えば、図３に示すように、車両Ｃが走行した走行経路の特徴（有利な特徴）に加え、車両Ｃが走行しなかった走行経路の特徴（不利な特徴）も抽出する。
【００４９】
続いてステップＳ２０６に移行して、嗜好検出装置２（特徴集計部１０ｆａ、嗜好判定部１０ｆｂ、目的別嗜好ＤＢ１０ｇ）は、ステップＳ２０４で推定した走行目的毎に、ステップＳ２０５で抽出した走行経路の特徴を集計する。具体的には、嗜好検出装置２（特徴集計部１０ｆａ）は、ステップＳ２０４で推定した走行目的と、ステップＳ２０５で抽出した走行経路の特徴との組み合わせに対応付けた変数（以下、「特徴集計用変数」とも呼ぶ）に「１」を加算する。例えば、通勤で信号機が少ない交通量の少ない道を走行した場合、走行目的「通勤」と特徴「信号機が少ない」とに対応付けた特徴集計用変数（例えば、Ａ−ａ）と、走行目的「通勤」と特徴「交通量が少ない」とに対応付けた特徴集計用変数（例えば、Ａ−ｂ）とのそれぞれに「１」を加算する。なお、特徴集計用変数（Ａ−ａ、Ａ−ｂ、…）は、走行経路検索処理の開始時に初期化して「０」とする。
【００５０】
続いて、嗜好検出装置２（嗜好判定部１０ｆｂ）は、特徴集計用変数（Ａ−ａ、Ａ−ｂ、…）、つまり、集計した走行経路の特徴を用いて、走行目的毎に、走行経路に対する運転者の嗜好を判定する。具体的には、嗜好検出装置２（嗜好判定部１０ｆｂ）は、特徴集計用変数（Ａ−ａ、Ａ−ｂ、…）の数値が大きいほど、その特徴集計用変数（Ａ−ａ、Ａ−ｂ、…）に対応付けられている特徴（より詳しくは、特徴に関連する運転者の嗜好項目（例えば、時間、料金、安全性、運転負荷・走りやすさ等））に対する運転者の考慮度合いが高い（例えば、◎、○）と判定する。続いて、嗜好検出装置２（目的別嗜好ＤＢ１０ｇ）は、走行目的毎に、判定した運転者の嗜好（嗜好情報）を記憶する。
【００５１】
このように、本実施形態では、車両Ｃの過去の走行履歴（走行履歴情報）を取得する。続いて、取得した走行履歴（走行履歴情報）を用いて、運転者の過去の走行目的を推定する。続いて、取得した走行履歴（走行履歴情報）を用いて、推定した走行目的毎に、車両Ｃが過去に走行した走行経路の特徴を集計する。続いて、集計した走行経路の特徴を用いて、走行目的毎に、走行経路に対する運転者の嗜好を判定する。続いて、嗜好検出装置２は、判定した運転者の嗜好（嗜好情報）を走行目的と対応付けて記憶する。それゆえ、本実施形態では、運転者の嗜好（嗜好情報）をより適切に判定できる。
【００５２】
ステップＳ２０７に移行して、嗜好検出装置２（目的別嗜好判定部１０ｆ）は、ステップＳ２０１で設定した引数Ｎ（ステップＳ２０７で引数Ｎを更新した場合には、更新後の引数Ｎ）に「１」を加算して引数Ｎを更新した後、ステップＳ２０２に戻る。
一方、ステップＳ２０８では、嗜好検出装置２（目的別嗜好判定部１０ｆ）は、ステップＳ１００で推定した車両Ｃの運転者の現在の走行目的を取得する。
続いてステップＳ２０９に移行して、嗜好検出装置２（走行経路選択部８ｃ）は、目的別嗜好ＤＢ１０ｇで記憶している運転者の嗜好のうちから、ステップＳ２０８で取得した現在の走行目的に対応付けられている運転者の嗜好（嗜好情報）を抽出する。
【００５３】
続いてステップＳ２１０に移行して、嗜好検出装置２（走行経路生成部８ａ）は、現在地から目的地までの複数の走行経路を生成する。続いて、経路案内装置１（走行経路特徴検出部８ｂ）は、生成した複数の走行経路の特徴を検出する。続いて、嗜好検出装置２（走行経路選択部８ｃ）は、生成した複数の走行経路のうちから、検出した特徴が、ステップＳ２０９で抽出した運転者の嗜好（嗜好情報）に合致する走行経路を選択する。なお、嗜好検出装置２（走行経路選択部８ｃ）は、車両Ｃが走行した走行経路の特徴（有利な特徴）に加え、車両Ｃが走行しなかった走行経路の不利な特徴も抽出した場合には、不利な特徴がある走行経路を選択せず、有利な特徴がある走行経路を選択してもよい。
【００５４】
（動作）
次に、本実施形態の経路情報提示システムの動作を説明する。
車両Ｃの走行中、経路情報提示システム（経路案内装置１、嗜好検出装置２）が経路情報提示処理を実行したとする。すると、嗜好検出装置２（現在走行目的推定部１０ｃａ）が、車両Ｃの運転者の現在の走行目的を推定する（図４のステップＳ１００）。続いて、嗜好検出装置２（嗜好抽出部１１）が、目的別嗜好ＤＢ１０ｇで記憶している運転者の嗜好（嗜好情報）のうちから、推定した現在の走行目的に対応付けられている運転者の嗜好（嗜好情報）を抽出する（図４のステップＳ２００）。続いて、経路案内装置１（走行経路生成部８ａ）が、現在地から目的地までの複数の走行経路を生成する（図４のステップＳ２００）。続いて、経路案内装置１（走行経路特徴検出部８ｂ）は、生成した複数の走行経路の特徴を検出する（図４のステップＳ２００）。続いて、嗜好検出装置２（走行経路選択部８ｃ）が、生成した複数の走行経路のうちから、検出した特徴が、抽出した運転者の嗜好（嗜好情報）に合致する走行経路を選択する（図４のステップＳ２００）。
【００５５】
ここで、嗜好検出装置２（交通渋滞判断部１２ａ）が、選択した走行経路上で現在または将来交通渋滞が発生しないと判定したとする（図４のステップＳ３００「Ｎｏ」）。すると、経路案内装置１（走行経路提示部９ａ）が、選択した走行経路を地図に重畳させた画像を生成し、生成した画像を運転者に提示する（図４のステップＳ４００）。
このように、本実施形態では、運転者の現在の走行目的を推定する。続いて、目的別嗜好ＤＢ１０ｇで記憶している運転者の嗜好のうちから、推定した走行目的に対応付けられている運転者の嗜好を抽出する。続いて、現在地から目的地までの複数の走行経路の特徴を検出する。続いて、複数の走行経路のうちから、抽出した運転者の嗜好と、検出した特徴とが合致する走行経路を選択する。続いて、選択した走行経路を運転者に提示する。それゆえ、本実施形態では、例えば、運転者の走行目的毎に、走行経路に対する運転者の嗜好が異なる場合にも、運転者の嗜好に合致する特徴を有する走行経路を運転者に提示できる。これにより、より適切な走行経路を運転者に提示できる。
【００５６】
一方、嗜好検出装置２（交通渋滞判断部１２ａ）が、選択した走行経路上で現在または将来交通渋滞が発生すると判定したとする（図４のステップＳ３００「Ｙｅｓ」）。すると、嗜好検出装置２（迂回路生成部１２ｃ）が、現在発生している交通渋滞または将来発生する交通渋滞を回避するための複数の迂回路を生成する（図４のステップＳ５００）。
続いて、嗜好検出装置２（迂回路特徴検出部１２ｄ）が、生成した迂回路の特徴を抽出する（図４のステップＳ５００）。続いて、嗜好検出装置２（迂回路選択部１２ｅ）が、生成した複数の迂回路のうちから、検出した特徴（迂回路の特徴）が、抽出した運転者の嗜好に合致する迂回路を選択する（図４のステップＳ６００）。続いて、経路案内装置１（迂回路提示部９ｂ）が、選択した迂回路を地図に重畳させた画像を生成し（図４のステップＳ７００）、生成した画像を運転者に提示する（図４のステップＳ７００）。
【００５７】
このように、本実施形態では、複数の迂回路のうちから、検出した特徴が、抽出した運転者の嗜好に合致する迂回路を選択する。続いて、選択した迂回路を運転者に提示する。それゆえ、本実施形態によれば、例えば、渋滞発生時に、運転者の嗜好に合致する特徴を有する迂回路を提示できる。これにより、運転者の迂回路の利用率を向上できる。
本実施形態では、図１の目的別嗜好ＤＢ１０ｇが嗜好記憶部を構成する。以下同様に、図１の現在走行目的推定部１０ｃａが走行目的推定部を構成する。また、図１の嗜好抽出部１１が嗜好抽出部を構成する。さらに、図１の走行経路特徴検出部８ｂが走行経路特徴検出部を構成する。また、図１の走行経路選択部８ｃが走行経路選択部を構成する。さらに、図１の走行経路提示部９ａが走行経路提示部を構成する。また、図１の走行履歴取得部１０ｃｂが走行履歴取得部を構成する。さらに、図１の過去走行目的推定部１０ｃｃが過去走行目的推定部を構成する。また、図１の特徴集計部１０ｆａが特徴集計部を構成する。さらに、図１の嗜好判定部１０ｆｂが嗜好判定部を構成する。また、図１の迂回路生成部１２ｃが迂回路生成部を構成する。さらに、図１の迂回路選択部１２ｅが迂回路選択部を構成する。また、図１の迂回路提示部９ｂが迂回路提示部を構成する。
【００５８】
（本実施形態の効果）
本実施形態に係る経路情報提示システムは、以下の効果を奏する。
（１）本実施形態に係る経路情報提示システム（嗜好抽出部１１、嗜好検出装置２）によれば、嗜好検出装置２は、運転者の現在の走行目的を推定する。続いて、嗜好検出装置２は、目的別嗜好ＤＢ１０ｇで記憶している運転者の嗜好のうちから、推定した走行目的に対応付けられている運転者の嗜好を抽出する。続いて、経路案内装置１は、現在地から目的地までの複数の走行経路の特徴を検出する。続いて、複数の走行経路のうちから、検出した特徴が、抽出した運転者の嗜好に合致する走行経路を選択する。続いて、経路案内装置１は、選択した走行経路を運転者に提示する。
このような構成によれば、例えば、運転者の走行目的毎に、走行経路に対する運転者の嗜好が異なる場合にも、運転者の嗜好に合致する特徴を有する走行経路を運転者に提示できる。これにより、より適切な走行経路を運転者に提示できる。
【００５９】
（２）本実施形態に係る経路情報提示システムによれば、嗜好検出装置２は、車両Ｃの過去の走行履歴（走行履歴情報）を取得する。続いて、嗜好検出装置２は、取得した走行履歴（走行履歴情報）を用いて、運転者の過去の走行目的を推定する。続いて、嗜好検出装置２は、取得した走行履歴（走行履歴情報）を用いて、推定した走行目的毎に、車両Ｃが過去に走行した走行経路の特徴を集計する。続いて、嗜好検出装置２は、集計した走行経路の特徴を用いて、走行目的毎に、走行経路に対する運転者の嗜好を判定する。続いて、嗜好検出装置２は、判定した運転者の嗜好を走行目的と対応付けて記憶する。
このような構成によれば、車両Ｃが過去に走行した走行経路の特徴を基に、走行経路に対する運転者の嗜好を判定する。それゆえ、運転者の嗜好をより適切に判定できる。
【００６０】
（３）本実施形態に係る経路情報提示システムによれば、経路案内装置１は、複数の迂回路のうちから、検出した特徴が、抽出した運転者の嗜好に合致する迂回路を選択する。続いて、経路案内装置１は、選択した迂回路を運転者に提示する。
このような構成によれば、例えば、渋滞発生時に、運転者の嗜好に合致する特徴を有する迂回路を提示できる。これにより、運転者の迂回路の利用率を向上できる。
【００６１】
（４）本実施形態に係る経路情報提示システムによれば、嗜好検出装置２は、目的地、運転者のスケジュール、カレンダー、及び車両Ｃの走行履歴（走行履歴情報）の少なくとも１つを用いて、車両Ｃの運転者の現在の走行目的を推定する。
このような構成によれば、走行目的の推定精度を向上できる。これにより、運転者の嗜好により合致した特徴を有する走行経路を運転者に提示できる。
【００６２】
（５）本実施形態に係る経路情報提示システムによれば、嗜好検出装置２は、旅行時間が短い、走行距離が短い、走行速度が高い、有料道路料金が低い、信号機数が少ない、青時間が長い、道幅が広い、路面状況が良い、障害物がない、交通量が少ない、勾配が少ない、道路案内表示が多い、右左折数が少ない、分岐数が少ない、規制路がない、景観が良い、停止回数が少ない、沿線施設数が多い、携帯電波環境が良い、事故・事件発生件数が少ない、取締実施件数が少ない、スクールゾーンがない、通行量が多い、及び防犯カメラがあるのうちの複数を走行経路の特徴として検出する。
このような構成によれば、走行経路の特徴を細分化できる。これにより、運転者の嗜好により合致した特徴を有する走行経路を運転者に提示できる。
【符号の説明】
【００６３】
８ｂ      走行経路特徴検出部
８ｃ      走行経路選択部
９ａ      走行経路提示部
９ｂ      迂回路提示部
１０ｃａ  現在走行目的推定部（走行目的推定部）
１０ｃｂ  走行履歴取得部
１０ｃｃ  過去走行目的推定部
１０ｆａ  特徴集計部
１０ｆｂ  嗜好判定部
１０ｇ    目的別嗜好ＤＢ（嗜好記憶部）
１１      嗜好抽出部
１２ｃ    迂回路生成部
１２ｅ    迂回路選択部
【図１】
2015227785.tif 000003
【図２】
2015227785.tif 000004
【図３】
2015227785.tif 000005
【図４】
2015227785.tif 000006
【図５】
2015227785.tif 000007
【図６】
2015227785.tif 000008